(57)【要約】【課題】  ベルトを緩みなく且つベルト破断を生じさせることなく締め付け固定できるベルト締め付け用バックルを提供する。【解決手段】ベルト端部を取り付けるための取付枠部１１を一辺とする枠体１０と、取付枠部１１とこれに対向する固定用枠部１３との間で摺動可能な係止部材１５とを有し、係止部材１５に巻回したベルトＢを係止部材１５と固定用枠部１３との間を通して締め付けるバックルで、係止部材１５と固定用枠部１３との相対向部位を平面とし、ベルトＢを平面部１５ａ，１３ａで挟着するようにし、さらに係止部材１５の変位規制手段としてのストッパー部材２０を設けて、ベルト挟着状態を保持できるようにする。【選択図】        図７
2005212826.tif 000002
【特許請求の範囲】
【請求項１】
ベルトの一端部に取り付けて該ベルトを締め付け固定するためのバックルであって、ベルト端部を取り付けるための取付枠部を一辺とする略長方形の枠体と、該枠体における前記取付枠部とこれに対向する固定用枠部との間で相対向する両側枠部の少なくとも一方に摺動可能に装着された係止部材とを有してなり、前記係止部材に巻回係止して折り返したベルトを該係止部材と前記固定用枠部との間を通して締め付け固定するようにしたバックルにおいて、
前記係止部材と前記枠体における固定用枠部との相対向部位が平面をなしており、前記ベルトを平面部で挟着するようにしたことを特徴とするベルト締め付け用のバックル。
【請求項２】
前記係止部材及び前記固定用枠部がそれぞれ断面略四角形をなし、少なくとも前記係止部材における前記ベルトの折曲部内側になる角部が面取り形成されてなる請求項１に記載のベルト締め付け用バックル。
【請求項３】
前記係止部材のベルト巻回部の外周面に滑り止め手段が設けられてなる請求項１または２に記載のベルト締め付け用バックル。
【請求項４】
前記枠体及び／または前記係止部材の一部に、前記係止部材を前記固定用枠部の側へ変位した状態に保持するための変位規制手段が設けられてなる請求項１〜３のいずれか１項に記載のベルト締め付け用バックル。
【請求項５】
前記枠体における前記取付枠部の両端部近傍に、前記係止部材が前記固定用枠部の側に変位した状態において、該係止部材と前記取付枠部との間に回動して進入可能なストッパー部材が設けられ、該ストッパー部材により前記係止部材の変位を規制するようにした請求項４に記載のベルト締め付け用バックル。
【請求項６】
前記係止部材は、両端部近傍に有する貫通孔が前記枠体における相対向する両側枠部に遊嵌して摺動変位可能に設けられるとともに、該係止部材の前記貫通孔より外方の端部近傍に該貫通孔と同方向に開口するネジ孔が設けられ、前記固定用枠部の前記側枠部との連結部より外側方への延長端部に有する係合孔を通して前記ネジ孔に対し螺合自在なボルトにより、前記係止部材を固定用枠部に引き寄せた状態に保持するようにしたことを特徴とする請求項４に記載のベルト締め付け用バックル。
【請求項７】
前記枠体における固定用枠部は、前記係止部材との対向側に前記両側枠部に摺動可能に嵌合した補助押圧部材を有し、該補助押圧部材が、前記固定用枠部の主体部に形成されたネジ孔に螺合貫設されたボルトにより前記係止部材の側に移動可能に設けられ、該補助押圧部材と前記係止部材との間に前記ベルトを挟着した状態を保持するように設けられてなる請求項１〜３のいずれか１項に記載のベルト締め付け用バックル。
【請求項８】
前記枠体の両側枠部における前記取付枠部と前記係止部材との間に、前記係止部材の前記取付枠部の側への一定以上の変位を規制するスペーサーが設けられてなる請求項７に記載のベルト締め付け用バックル。
【発明の詳細な説明】
【技術分野】
【０００１】
本発明は、主として船舶の防舷材や船首用の保護材等の取り付け用ベルト、各種の荷物や物品を固縛するための固縛用ベルト、その他の高強度を要する各種ベルトを締め付け固定するためのバックルに関するものである。
【背景技術】
【０００２】
従来、一般に物品を入れた段ボール箱等を搬送パレット上に多数個積み重ね、フォークリフト等の運搬手段によりパレットを持ち上げ、目的の場所に運搬する場合、パレット上に積み重ねた多数の段ボール箱を、固縛用のベルト（またはバンド）により、水平方向または垂直方向に巻いて縛り、運搬中に段ボール箱が崩れて落下するのを防止している（下記の特許文献１）。かかる固縛用のベルト、すなわち荷崩れ防止ベルトとしては、主に合成繊維製（ナイロン繊維やポリプロピレン繊維製）の布からなるものが一般的である。そして、これを締め付け固定した状態に保持するための手段としては、該ベルト本体の両端部に互いに係合自在な面ファスナーを縫着するか、あるいは前記ベルト本体の一端部に止め金具としてのバックルを取り付けている。
【０００３】
また、図１９のように船舶１００の防舷材や船首用の保護材１５０を、舷側部や船首部に取り付ける場合においても、上記同様の合成繊維製の布を素材とするベルトＢを用いて、防舷材や保護材１５０を固縛して取り付けるようにしている。この場合、特に高い繰り返し荷重を受けることから、前記ベルトを締め付け固定した状態に保持する手段としては、前記ベルトＢの一端部に金属製のバックルＡを取り付けて、例えばベルトの他端側の部分を挿通係止して締め付け固定するようにしている（下記の特許文献２）。
【０００４】
ところで、前記の荷物や物品の固縛用ベルトや、船舶の防舷材や保護材等の取付用ベルトにおいて、締め付け固定した状態を保持するためのバックルは、下記の特許文献１あるいは図１７に示すように、ベルトの一端部を取り付けるための取付枠部を一辺とする略長方形の枠体と、該枠体における前記取付枠部とこれに対向する固定用枠部との間で相対向する両側枠部の少なくとも一方に摺動可能に装着された係止部材とを有してなり、前記係止部材に巻回して折り返したベルトを該係止部材と前記固定用枠部との間を通して引張ることにより、この引張作用で該ベルトが緊張してかつ該係止部材が固定枠部の側に変位する結果、該係止部材と固定用枠部の間に前記ベルトが挟着されるもので、これによってベルトの緩みを規制して締め付け状態に固定保持できるようになっている。
【特許文献１】特開平１０−１７５６０５号公報
【特許文献１】特開２００２−３６２４８０号公報
【発明の開示】
【発明が解決しようとする課題】
【０００５】
しかしながら、前記従来の締め付け用ベルト及びこれに取付られたバックルは、もともとそれほど強い外力が繰り返し作用するような使用は想定されておらず、そのため、図１９のように船舶１００における防舷材や船首用保護材１５０の取り付け用ベルトＢを締め付け固定するのに使用した場合、比較的波の小さい内海等では問題はなくても、波高が高く波力の強い外海では、バックルＡが破損したり、ベルトが切れたりすることがある。バックルＡについては、径や寸法の増大により強度を高めることで対応できるものの、ベルトについては、その機能面やコスト面等から強度を高くするのには限度があり、ベルト切れには単純に対応できない。
【０００６】
前記のベルト切れの問題についてさらに検討すると、例えば、特許文献１に示されている従来のバックルは、図１７、図１８のように、略長方形の枠体１１０におけるベルトＢの端部を取り付けるための取付枠部１１１、これに対向する固定用枠部１１３及びこれら両者間で相対向する両側枠部１１２，１１４が断面円形をなし、また前記取付枠部１１１と前記固定用枠部１１３との間に配された係止部材１１５も断面円形をなしている。しかも、前記係止部材１１５は、これに巻回されたベルトＢの滑り止めのために、その外周面にはローレット加工が施されている。
【０００７】
そのため、図１７、図１８のようにベルトＢを引張って締め付けた状態において、前記係止部材１１５と前記固定用枠部１１３との間に挟着されるベルトＢは、前記のローレット加工が施された係止部材１１５と固定用枠部１１３とにより線接触状態で局部的に強く圧着されるとともに、経時的に食い込みが生じ、そのため、ベルト表面が損傷したり、前記挟着部分が弱体化し易いものである。
【０００８】
加えて、船舶の防舷材や船首用保護材の取り付け用ベルトに使用した場合において、外海では大きな波を受ける結果、前記取り付け用のベルト及びその締め付け固定のための前記バックルの部分に、大きな荷重を繰り返し受けることになる。その結果、材質的にかなり高強度の素材のベルトを使用していても、前記の挟着部分でベルトが破断するおそれが多分にある。
【０００９】
さらに、前記バックルを使用する場合の他の問題として、前記の波の影響で、前記バックルの部分に大きい力が繰り返し作用する反面、緩み方向の作用も受けることになり、仮に緩みが生じると、前記係止部材がベルト端部の取付枠部の側へ変位して、該係止部材と固定用枠部とによるベルトの挟着作用に緩みが生じ、締め付けが緩んでしまうおそれもある。
【００１０】
本発明は、上記に鑑みてなしたもので、前記係止部材に巻回したベルトを面接触状態で挟着できて、ベルト破断を生じさせるおそれのないベルト締め付け用バックルを提供するものであり、さらには、前記係止部材と固定用枠部とによるベルト挟着状態を安定性よく保持でき、容易に緩みの生じないベルト締め付け状態を保持できるバックルを提供するものである。
【課題を解決するための手段】
【００１１】
本発明は、ベルトの一端部に取付けて該ベルトを締め付け固定するためのバックルであって、ベルト端部を取り付けるための取付枠部を一辺とする略長方形の枠体と、該枠体における前記取付枠部とこれに対向する固定用枠部との間で相対向する両側枠部の少なくとも一方に摺動可能に装着された係止部材とを有してなり、前記係止部材に巻回係止して折り返したベルトを該係止部材と前記固定用枠部との間を通して締め付け固定するようにしたバックルにおいて、前記係止部材と前記枠体における固定用枠部との相対向部位が平面をなしており、前記ベルトを平面部で挟着するようにしたことを特徴とする。
【００１２】
このバックルによれば、前記係止部材に巻回係止して折り返したベルトを、該係止部材と前記枠体における前記固定用枠部との間を通して引張ることにより、該ベルトが緊張するとともに前記係止部材が固定用枠部の側に変位し、該係止部材と固定用枠部の間に前記ベルトを挟着するが、この際、ベルトは前記係止部材と固定用枠部の平面部による面接触状態で挟着されることになり、その結果、挟着力が分散されてベルトに対し局部的に強い挟着力が作用することがなく、ベルト表面の損傷や該挟着部分の弱体化を防止でき、ベルトの破断を防止できる。
【００１３】
前記のバックルにおいて、前記係止部材及び前記固定用枠部がそれぞれ断面略四角形をなし、少なくとも前記係止部材における前記ベルトの折曲部内側になる角部が面取り形成されてなるものが、ベルトの滑り止め効果を適度に保持しながらベルトの破断を防止する上で特に好適である。
【００１４】
また、前記のバックルにおいて、前記係止部材のベルト巻回部の外周面に滑り止め手段が設けられてなるものとすることができる。すなわち、前記のように角形の係止部材の角部をカット面状に面取り形成する等の手段により断面多角形にして、ベルトに対する摩擦抵抗を付与した場合は、必ずしも他の滑り止め手段は必要ではないが、前記係止部材の角部をアール曲面状にしたものや断面略半円形等の場合には、前記係止部材の周方向の所要間隔毎に長手方向の溝や凸を形成したり、あるいは微小な凹凸を形成する等して適度に滑り止め抵抗を付与するのがよい。
【００１５】
前記のバックルにおいて、前記枠体及び／または前記係止部材の一部に、前記係止部材を前記固定用枠部の側へ変位した状態に保持するための変位規制手段が設けられてなるものが好ましい。これにより、前記係止部材がベルトの引張り作用で前記枠体における固定用枠部の側へ変位して該ベルトを該固定用枠部との間に挟着した状態において、その変位が抑止されることで、ベルトの緩みが規制され、安定性のよい締め付け固定状態を得ることができる。
【００１６】
前記の変位規制手段としては、前記枠体における前記取付枠部の両端部近傍に、前記係止部材が前記固定用枠部の側に変位した状態において、該係止部材と前記取付枠部との間に回動して進入可能なストッパー部材が設けられ、該ストッパー部材により前記係止部材の変位を規制するように構成されてなるものとすることができる。
【００１７】
この場合、前記係止部材が前記固定用枠部の側に変位した状態において、前記ストッパー部材を回動させて、該係止部材と前記取付枠部との間に進入させ、該係止部材の戻りをストッパー部材により規制する。これによって、係止部材の動きを封じ、ベルトを挟着した状態を確実に保持することができる。
【００１８】
前記の変位規制手段としては、前記係止部材が、両端部近傍に有する貫通孔が前記枠体における相対向する両側枠部に遊嵌して摺動変位可能に設けられるとともに、該係止部材の前記貫通孔より外方の端部近傍に該貫通孔と同方向に開口するネジ孔が設けられ、前記固定用枠部の前記側枠部との連結部より外側方への延長端部に有する係合孔を通して前記ネジ孔に対し螺合自在なボルトにより、前記係止部材を固定用枠部に引き寄せた状態に保持するように構成しておくこともできる。
【００１９】
この場合、前記係止部材にベルトを巻回して折り返し、該ベルトを前記係止部材と前記枠体における前記固定用枠部との間を通して引張り、前記係止部材と前記固定用枠部の間に前記ベルトを挟着するが、この際、前記固定用枠部の延長端部に有する係合孔を通した前記ボルトを、前記係止部材の端部近傍の前記ネジ孔に螺合させて締め付けることにより、該係止部材を前記固定用枠部に引き寄せた状態に保持する。これにより、係止部材の動きが封じられて、前記ベルト挟着状態に安定性よく確実に且つ強固に保持できる。
【００２０】
さらに、前記のバックルにおけるベルトの緩み規制の手段として、前記枠体における固定用枠部は、前記係止部材との対向側に前記両側枠部に摺動可能に嵌合した補助押圧部材を有し、該補助押圧部材が、前記固定用枠部の主体部に形成されたネジ孔に螺合貫設されたボルトにより前記係止部材の側に移動可能に設けられ、該補助押圧部材と前記係止部材との間に前記ベルトを挟着した状態を保持するように設けられてなるものとすることもできる。
【００２１】
この場合も、前記ボルト締め操作により前記押圧補助部材が前記係止部材の側に移動し、この移動と前記ベルトの引張りによる前記係止部材の変位との相互作用で、前記ベルトを該補助押圧部材と該係止部材との間に強固に挟着できる。特に、押圧補助部材を、前記係止部材が前記取付枠部の側に通したベルトを該取付枠部との間に挟着する位置まで移動させることにより、前記ベルトの緩み規制をさらに良好になすことができる。
【００２２】
さらに前記の場合において、前記枠体の両側枠部における前記取付枠部と前記係止部材との間に、前記係止部材の前記取付枠部の側への一定以上の変位を規制するスペーサーを設けておくこともできる。これにより、前記補助押圧部材の移動量を少なくできる。
【発明の効果】
【００２３】
上記のように、本発明のベルト締め付け用バックルは、前記係止部材に巻回したベルトを面接触状態で挟着できて、従来と略同様のベルトを使用するものであっても、ベルト破断を生じさせるおそれがなく、ベルト締め付け固定状態を良好に保持でき、その耐久性を高めることができる。さらに、前記係止部材と固定用枠部とによるベルト挟着状態を安定性よく保持でき、容易に緩みの生じないベルト締め付け状態を保持することができる。
【発明を実施するための最良の形態】
【００２４】
次に本発明の実施の形態を図面に示す実施例に基づいて説明する。  
図１〜図３は、本発明に係るベルト締め付け用バックルの基本形態を示す第１の実施例であり、図１はバックルの平面図、図２は同側面図、図３は同バックルによるベルト締め付け状態の断面図である。
【００２５】
本発明に係るバックルＡは、船舶の防舷材や船首用保護材の取付用ベルトあるいは各種の物品や荷物等の固縛用ベルト等の、主としてナイロン繊維やポリプロピレン繊維等の合成繊維製の布からなる各種のベルトＢの一端部に取付けて該ベルトＢを締め付け状態に固定するのに使用するもので、主として強度のある鉄等の金属材により形成されており、次のような構成をなしている。
【００２６】
前記バックルＡは、基本的に、平面より見て略長方形をなし、かつその長辺側の一方の辺を前記ベルトＢの一端部ｂ１を取り付けるための取付枠部１１として形成した枠体１０と、該枠体１０における前記取付枠部１１とこれに対向する固定用枠部１３との間で相対向する短編側の両側枠部１２，１４の少なくとも一方（図の場合は両方）に摺動変位可能に装着された係止部材１５とを有してなり、前記係止部材１５に巻回係止して折り返したベルトＢを該係止部材１５と前記固定用枠部１３との間を通して引張ることにより、前記係止部材１５が前記固定用枠部１３の側に変位して前記ベルトＢを該係止部材１５と該固定用枠部１３との間に挟着して締め付け状態に固定できるように構成されている。
【００２７】
図の場合、前記取付枠部１１は、主として断面略円形の丸棒状をなし、これに前記ベルトＢの一端部ｂ１が巻回され縫着されて取り付けられる。また、前記取付枠部１１に対向する前記固定用枠部１３は、後述するように主として断面が略四角形の角棒状をなしている。この取付枠部１１と固定用枠部１３とが、両者間に介設されて溶接手段等により固定される断面略円形の丸棒状の両側枠部１２，１４により結合されて、全体として略長方形の枠体１０が形成されている。
【００２８】
そして、前記係止部材１５と前記枠体１０における固定用枠部１３とは、それぞれ断面が略四角形の角棒状をなすことにより、両者の相対向部位がそれぞれ互いに平行な平面をなし、前記ベルトＢを該平面部１５ａ，１３ａで挟着できるようになっている。
【００２９】
前記係止部材１５および前記固定用枠部１３については、各角部を面取りしていない断面四角形の棒状での実施も可能であるが、図の場合、前記係止部材１５については、少なくとも該係止部材１５に巻回係止され引張られる前記ベルトＢの折曲部内側に当たる角部、例えば図のように全部（四つ）の角部がカット面状に面取り形成されている。１５ｃはその面取り部分を示す。
【００３０】
すなわち、前記係止部材１５の角部が面取り形成されていない場合、該角部のエッジがこれに巻回係止されるベルトＢの折曲部内側にくい込むようになって、ベルトＢが破断するおそれがあるので、前記のように面取り形成しておくのが、該ベルトＢの破断を防止する上で望ましい。前記角部をアール曲面状に面取り形成しておくこともできるが、前記ベルトＢの滑り止め効果を適度に保持しながらベルトＢの破断を防止する上では、図のようなカット面状に面取り形成しておくのがよい。
【００３１】
なお、前記固定用枠部１３の前記係止部材１５との対向側における前記ベルトの折曲部内側に当たる個所の角部についても、前記同様に面取り形成しておくのが望ましい。
【００３２】
前記の係止部材１５及び固定用枠部１３の断面形状については、両者の相対向部位が平面をなすものであれば、前記の断面四角形及びその角部を面取り形成したものには限らず、他の種々の断面形状による実施が可能である。例えば、断面円形の前記相対向部位になる側を平面状にカットした形状（断面略半円形等）をなすもの、断面が楕円形の分割形をなすもの、断面略６角形や８角形等の断面が多角形をなすものによる実施が可能である。
【００３３】
また、前記の係止部材１５のベルト巻回部の外周面には、必要に応じて、ベルトＢの滑り止め手段を設けておくことができる。この滑り止め手段としては、前記係止部材１５の周方向の所要間隔毎に長手方向の溝や凸を形成したり、あるいは微小な凹凸を形成する等して適度に滑り抵抗を付与する等の種々の実施が可能である。前記のように角形の係止部材１５の角部をカット面状に面取り形成するか、あるいは断面多角形に形成して、ベルトに対する摩擦抵抗を付与するようにした場合は、必ずしも前記の滑り止め手段は必要ではないが、前記係止部材１５が角部をアール曲面状にしたものや、断面略半円形をなすもの等の場合には、前記のように滑り止め手段を設けておくのが望ましい。
【００３４】
この第１の実施例の構成形態は、基本的に後述する第２〜第５の各実施例にも、そのまま適用、あるいは一部を変更して適用できる。
【００３５】
前記の構成によるバックルＡによれば、船舶の防舷材や船首用の保護材等の取り付け用ベルト、各種の荷物や物品を固縛するための固縛用ベルト等の各種ベルトＢの一端部ｂ１に取り付けて、該ベルトＢを締め付け状態に保持するのに使用する。
【００３６】
この使用において、図３のように、前記係止部材１５に巻回係止して折り返したベルトＢを、該係止部材１５と前記枠体１０における前記固定用枠部１３との間を通して引張ることにより、該ベルトＢが緊張するとともに、前記係止部材１５が固定用枠部１３の側に変位し、該係止部材１５と固定用枠部１３の間に前記ベルトＢを挟着する。この際、ベルトＢは前記係止部材１５と固定用枠部１３の平面部１５ａ，１３ａによる面接触状態で挟着されることになり、その結果、挟着力が分散されてベルトＢに対して局部的に強い挟着力が作用することがなく、ベルトＢ表面の損傷や該挟着部分の弱体化、該挟着部分でのベルトの破断を防止でき、その耐久性を向上できる。
【００３７】
図４〜図７は、本発明にかかるバックルＡの第２の実施例であり、図４は同バックルの平面図、図５は同側面図、図６はストッパー部材の斜視図である。図７は同バックルによるベルト締め付け状態の断面図である。
【００３８】
この第２の実施例のバックルＡは、基本的に上記した第１の実施例のバックルＡと同様の構成をなすものにおいて、前記係止部材１５と前記枠体１０における固定用枠部１３とによるベルト挟着状態の緩みを防止するために、前記枠体１０及び／または係止部材１５の一部に、前記係止部材１５を前記固定用枠部１３の側へ変位した状態に保持するための変位規制手段を設ける場合の１実施例を示している。この実施例において、上記第１の実施例と同じ構成部分、部材等については同符号を付して、その詳しい説明を省略する。
【００３９】
この第２の実施例では、前記係止部材１５の前記変位規制手段として、前記枠体１０における前記取付枠部１１の両端部近傍に、前記係止部材１５がこれに巻回係止されたベルトＢの引張により前記固定用枠部１３の側に変位した状態において、該係止部材１５と前記取付枠部１１との間に回動して進入可能な板状のストッパー部材２０，２０が回動自在に設けられ、該ストッパー部材２０，２０により前記係止部材１５の戻り方向の変位を規制するように構成されている。
【００４０】
前記ストッパー部材２０は、図６に示すように、板状体より打ち抜き形成され、その一端側に有する貫通孔２１の部分で前記枠体１０における取付枠部１１に回動可能に遊嵌され、図７のように前記係止部材１５と前記固定用枠部１３との間にベルトＢを挟着した状態での指先等による回動操作により、先端側が前記取付枠部１１と前記係止部材１５との間に進入しストッパー作用を果たすようにように設けられている。
【００４１】
前記のストッパー部材２０の先端部における前記進入側の角縁部２２は、図のように丸みがつけられて、前記の進入動作を容易に行えるように形成されている。また、前記ストッパー部材２０の前記進入側とは反対側縁には、切り起しによって外側に折曲形成された操作部を兼ねる係合片２３が設けられ、該係合片２３の部分を指先等で押圧することで前記のように進入動作させることができるとともに、該係合片２３が側枠部１２、１４に係合することにより、それ以上の回動を規制して、該ストッパー部材２０の先端を前記係止部材１５に当接させた状態に確実に保持できるようになっている。
【００４２】
この第２の実施例のバックルＡによれば、その使用において、上記した第１の実施例と同様に、図７のように、前記係止部材１５に巻回係止して折り返したベルトＢを、該係止部材１５と前記枠体１０における前記固定用枠部１３との間を通して引張ることにより、前記係止部材１５がベルトＢの引張作用で前記枠体１０における固定用枠部１３の側へ変位して、該ベルトＢを、前記係止部材１５と前記固定用枠部１３の平面部１５ａ，１３ａで挟着できることに加えて、前記係止部材１５が前記固定用枠部１３の側に変位した状態において、前記ストッパー部材２０を、前記取付枠部１１を中心に回動させて前記係止部材１５と前記取付枠部１１との間に進入させ、前記係止部材１５の戻り方向の変位を規制する。これによって、前記係止部材１５の動きが封じられ、ベルトＢを挟着した状態に保持でき、安定性のよいベルト締め付け状態を得ることができる。
【００４３】
図８〜図１０は、本発明にかかるバックルＡの第３の実施例であり、図８は同バックルの平面図、図９は同側面図、図１０は同バックルによるベルト締め付け状態の断面図である。
【００４４】
この第３の実施例のバックルＡは、基本的に上記した第１の実施例のバックルＡと同様の構成をなすものにおいて、前記係止部材１５を前記固定用枠部１３の側へ変位させた状態に保持するための変位規制手段を設けた場合の他の実施例を示している。この実施例において、上記第１の実施例と同じ構成部分、部材等については同符号を付して、その詳しい説明を省略する。
【００４５】
この第３の実施例の場合、前記変位規制手段は次のような構成をなしている。前記係止部材１５が、両端部近傍に有する貫通孔１５ｂ，１５ｂが前記枠体１０における相対向する両側枠部１２，１４に遊嵌して摺動変位可能に設けられ、該係止部材１５の前記貫通孔１５ｂ，１５ｂより外方の端部近傍に該貫通孔１５ｂ，１５ｂと同方向に開口するネジ孔１６，１６が設けられている。また、前記固定用枠部１３には、前記側枠部１２，１４との連結部より外側方への延長端部に後述のボルトを貫挿できる係合孔１７，１７が設けられており、該係合孔１７，１７を通して前記ネジ孔１６，１６に対し螺合自在なボルト１８，１８の締め付けにより、前記係止部材１５を前記固定用枠部１３の側へ引き寄せ得るように構成されている。
【００４６】
この第３の実施例の場合、その使用においては、前記係止部材１５にベルトＢを巻回して折り返し、該ベルトＢを前記係止部材１５と前記枠体１０における前記固定用枠部１３との間を通して引張ることにより、前記係止部材１５と前記固定用枠部１３の間に前記ベルトＢを挟着するが、この際、前記固定用枠部１３に有する係合孔１７，１７を通した前記ボルト１８，１８を、前記係止部材１５の前記ネジ孔１６，１６に螺合させて締め付けることにより、該係止部材１５を前記固定用枠部１３の側に引き寄せた状態に保持する。これにより、前記係止部材１５の動きが封じられて、前記ベルトＢの挟着状態を安定性よく確実にかつ強固に保持でき、ベルトＢの締め付け状態を緩みなく保持することができる。
【００４７】
なお、前記係止部材１５を前記固定用枠部１３の側に変位させた状態に保持するための変位規制手段としては、上記した実施例以外の種々の実施が可能である。
【００４８】
図１１〜図１３は、本発明にかかるバックルＡの第４の実施例であり、図１１は同バックルの平面図、図１２は同バックルの側面図、図１３は同バックルによるベルト締め付け状態の断面図である。
【００４９】
この第４の実施例のバックルＡについては、基本的に上記した第１の実施例のバックルＡと同様の構成をなすものにおいて、ベルト締め付け状態の緩み防止の手段として、前記変位規制手段とは別の実施例を示している。この実施例において、上記第１の実施例と同じ構成部分、部材等については同符号を付して、その詳しい説明を省略する。
【００５０】
この第４の実施例の場合、前記ベルトＢの緩み規制の手段として、前記枠体１０における固定用枠部１３が、前記両側枠部１２，１４に結合された主体部３３の前記係止部材１５との対向側に前記両側枠部１２，１４に摺動可能に嵌合した補助押圧部材３４を有し、この補助押圧部材３４が前記主体部３３に形成された１もしくは複数のネジ孔３５に螺合貫設されたボルト３５により、前記係止部材１５の側に変位可能に設けられている。
【００５１】
この第４の実施例の場合、その使用において、前記係止部材１５にベルトＢを巻回して折り返し、該ベルトＢを前記係止部材１５と前記枠体１０における前記固定用枠部１３との間を通して引張ることにより、前記係止部材１５と前記固定用枠部１３の間に前記ベルトＢを挟着するが、この際、前記固定用枠部１３の主体部３３に備える前記ボルト３５の締め付けにより前記押圧補助部材３４が前記係止部材１５の側に移動し、この移動と前記ベルトＢの引張による前記係止部材１５の変位との相互作用で、前記ベルトＢを該補助押圧部材３４と該係止部材１５との間に強固に挟着できる。
【００５２】
特に、図１３のように、前記押圧補助部材３４を前記係止部材１５が前記取付枠部１１の側に通したベルトＢを該取付枠部１１との間に挟着する位置まで移動させることにより、前記ベルトＢの緩み規制をさらに良好になすことができる。
【００５３】
図１４〜図１６は、前記の第４の実施例と基本的に同様のベルトの緩み規制手段を備える場合において、前記係止部材１５の取付枠部１１側への移動を規制するようにした場合の第５の実施例を示し、図１４は同バックルの平面図、図１５は同バックルの側面図、図１６は同バックルによるベルト締め付け状態の断面図である。
【００５４】
この実施例においても、前記の実施例と同様に、固定用枠部１３の前記係止部材１５との対向側に摺動可能な補助押圧部材３４を有し、ボルト３５により前記係止部材１５の側に変位可能に設けられている。他の同構成部分、部材には同符号を付して、その詳しい説明は省略する。そして、前記枠体１０の両側枠部１２，１４における前記取付枠部１１と前記係止部材１５との間には、前記係止部材１５の前記取付枠部１１の側への一定以上の変位を規制するパイプよりなるスペーサー４０が設けられている。通常、前記スペーサー４０は、両側枠部１２，１４に遊嵌されている。
【００５５】
このように前記係止部材１５の移動を規制することにより、前記固定用枠部１３の主体部３３に備える前記ボルト３５の締め付けにより、前記押圧補助部材３４を前記係止部材１５の側に移動させて、該補助押圧部材３４と該係止部材１５との間にベルトＢを挟着する場合、前記補助押圧部材３４の移動量を少なくできる上、ボルト３５の締め付け操作を容易に行える。
【００５６】
上記したように、本発明のバックルＡは、船舶の防舷材や船首用の保護材等の取り付け用ベルト、各種の荷物や物品を固縛するための固縛用ベルト等の各種ベルトＢを締め付け状態に保持する場合において、前記係止部材１５に巻回したベルトＢを面接触状態で挟着できて、従来と略同様のベルトを使用するものであっても、ベルト破断を生じさせるおそれがなく、ベルト締め付け固定状態を良好に保持できる。さらに、前記係止部材１５と枠体１０における固定用枠部１３とによるベルト挟着状態を安定性よく保持でき、容易に緩みの生じないベルト締め付け状態を保持することができる。
【００５７】
それゆえ、船舶における防舷材や船首用保護材の取り付け用ベルトを締め付け固定するのに使用した場合に、波高が高く波力の強い外海において大きな荷重を繰り返し受けることがあっても、ベルトが破断するおそれがなく、その耐久性を向上できる。
【００５８】
さらに、前記係止部材１５の変位規制により、該係止部材１５と固定用枠部１３とによるベルト挟着状態を保持するようにした場合は、前記の波の影響でバックルの部分に緩み方向の作用を受けても、前記のベルト挟着状態が緩むおそれがなく、ベルト締め付け状態を安定性よく保持できる。
【産業上の利用可能性】
【００５９】
本発明は、船舶の防舷材や船首用の保護材等の取り付け用ベルトのほか、各種の荷物や物品を固縛するための固縛用ベルト、その他の高強度を要する各種ベルトを締め付け固定するのに好適に利用できる。
【図面の簡単な説明】
【００６０】
【図１】本発明のベルト締め付け用バックルの第１の実施例を示す平面図である。
【図２】同上バックルの側面図である。
【図３】同上バックルによるベルト締め付け状態の断面図である。
【図４】本発明にかかるバックルの第２の実施例を示すバックルの平面図である。
【図５】同上バックル側面図である。
【図６】ストッパー部材の斜視図である。
【図７】同上バックルによるベルト締め付け状態の断面図である。
【図８】本発明にかかるバックルの第３の実施例を示す平面図である。
【図９】同上バックルの側面図である。
【図１０】同上バックルによるベルト締め付け状態の断面図である。
【図１１】本発明にかかるバックルの第４の実施例を示す平面図である。
【図１２】同上バックルの側面図である。
【図１３】同上バックルによるベルト締め付け状態の断面図である。
【図１４】本発明にかかるバックルの第５の実施例を示す平面図である。
【図１５】同上バックルの側面図である。
【図１６】同上バックルによるベルト締め付け状態の断面図である。
【図１７】従来のバックルの略示斜視図である。
【図１８】同上のバックルによるベルト締め付け状態の断面図である。
【図１９】船舶における防舷材や船首用保護材の取り付け用ベルトの使用例を示す略示説明図である。
【符号の説明】
【００６１】
Ａ    バックル
Ｂ    ベルト
ｂ１    ベルトの一端部
１０    枠体
１１    取付枠部
１２，１４  両側枠部
１３    固定用枠部
１３ａ  平面部
１５    係止部材
１５ａ  平面部
１５ｂ  貫通孔
１６    ネジ孔
１７    係合孔
１８    ボルト
２０    ストッパー部材
２１    貫通孔
２２    角縁部
２３    係合片
３３    主体部
３４    補助押圧部材
３５    ボルト
４０    スペーサー
【図１】
2005212826.tif 000003
【図２】
2005212826.tif 000004
【図３】
2005212826.tif 000005
【図４】
2005212826.tif 000006
【図５】
2005212826.tif 000007
【図６】
2005212826.tif 000008
【図７】
2005212826.tif 000009
【図８】
2005212826.tif 000010
【図９】
2005212826.tif 000011
【図１０】
2005212826.tif 000012
【図１１】
2005212826.tif 000013
【図１２】
2005212826.tif 000014
【図１３】
2005212826.tif 000015
【図１４】
2005212826.tif 000016
【図１５】
2005212826.tif 000017
【図１６】
2005212826.tif 000018
【図１７】
2005212826.tif 000019
【図１８】
2005212826.tif 000020
【図１９】
2005212826.tif 000021